(57)【要約】【課題】電子機器のロック時に、ロック解除操作等の操作入力を簡易に行う電子機器を提供する。【解決手段】自装置に対するユーザーの操作入力の受け付けをロックするロック部３０１と、ユーザーのタッチ操作による操作入力を受け付けるためのタッチパネル２と、ロック時にタッチパネル２に対するタッチ操作の操作位置を検出する操作位置検出部３０２と、検出されたタッチパネル２に対する操作位置に基づき、タッチ操作がユーザーの耳介によって行われたか否かを判断する耳介判断部３０３と、タッチ操作が耳介によって行われたと判断された場合に、耳介によるタッチ操作での操作入力を受け付ける耳介操作受付部３０４とを備える。【選択図】図３
2015106716.tif 000002
【特許請求の範囲】
【請求項１】
自装置に対するユーザーの操作入力の受け付けをロックするロック部と、
前記ユーザーのタッチ操作による操作入力を受け付けるためのタッチパネルと、
前記ロック時に前記タッチパネルに対するタッチ操作の操作位置を検出する操作位置検出部と、
前記検出されたタッチパネルに対する操作位置に基づき、前記タッチ操作がユーザーの耳介によって行われたか否かを判断する耳介判断部と、
前記タッチ操作が耳介によって行われたと判断された場合に、前記耳介によるタッチ操作での操作入力を受け付ける耳介操作受付部と、
を備えることを特徴とする電子機器。
【請求項２】
請求項１記載の電子機器であって、
前記タッチパネルに対するユーザーの耳介によるタッチ操作での操作位置情報を前記ユーザーの耳介認証情報として事前に登録する認証情報登録部と、
前記タッチ操作が耳介によって行われたと判断された場合の操作位置と前記登録されている耳介認証情報の操作位置情報とに基づき、前記耳介によるタッチ操作を行ったユーザーの認証を行う耳介認証部とを有し、
前記耳介操作受付部は、前記認証が行われた場合に前記耳介によるタッチ操作での操作入力を受け付ける、
ことを特徴とする電子機器。
【請求項３】
請求項１又は２記載の電子機器であって、
前記耳介操作受付部で受け付けられた操作入力に基づき前記自装置のロックを解除するロック解除部を備える、
ことを特徴とする電子機器。
【請求項４】
請求項１〜３の何れか一項に記載の電子機器であって、
通話機能による電話着信に対し、前記耳介操作受付部で受け付けられた操作入力に応じて通話可能とする通話可能化部を備える、
ことを特徴とする電子機器。
【請求項５】
請求項４記載の電子機器であって、
前記タッチパネルに取り付けられて振動可能な振動子と、
前記通話時に前記振動子の振動を前記タッチパネルに伝達して前記タッチパネルをスピーカーとして機能させる振動制御部と、
を備えることを特徴とする電子機器。
【請求項６】
ユーザーのタッチ操作による操作入力を受け付けるためのタッチパネルを有する電子機器に対し前記ユーザーの操作入力の受け付けをロックするロック機能と、
前記ロック時に前記タッチパネルに対するタッチ操作の操作位置を検出する操作位置検出機能と、
前記検出されたタッチパネルに対する操作位置に基づき、前記タッチ操作がユーザーの耳介によって行われたか否かを判断する耳介判断機能と、
前記タッチ操作が耳介によって行われたと判断された場合に、前記耳介によるタッチ操作での操作入力を受け付ける耳介操作受付機能と、
をコンピューターに実現させることを特徴とする操作受付プログラム。
【発明の詳細な説明】
【技術分野】
【０００１】
本発明は、操作入力に対するロックが可能な電子機器及び操作受付プログラムに関する。
【背景技術】
【０００２】
多機能携帯電話機、いわゆるスマートフォンやタブレット端末等の電子機器としては、タッチパネルを有するものや更に機械的な操作キーを有するもの等が知られている。
【０００３】
この種の電子機器においては、誤操作の防止やセキュリティー向上等の観点から、通常、使用していない場合にタッチパネルや操作キーによる操作入力を受け付けないようにロックされる（例えば特許文献１参照）。
【０００４】
ロックを解除するには、ユーザーが操作キーを押下した後に、タッチパネル上でフリック操作を行い、更にタッチパネル上でパスワードを入力する等のように複数の操作を行う必要がある。このため、ロック解除操作が煩雑であった。
【０００５】
また、スマートフォン等では、ロック時に電話着信があった場合、比較的簡易に応答することができるが、特定の操作キーやタッチパネル上でのボタン操作が必要になる点でロック解除時と同様に煩雑であった。
【先行技術文献】
【特許文献】
【０００６】
【特許文献１】特開２０１１−１９８００４号公報
【発明の概要】
【発明が解決しようとする課題】
【０００７】
本発明が解決しようとする問題点は、電子機器のロック時に、ロック解除操作等の操作入力を簡易に行うことに限界があった点である。
【課題を解決するための手段】
【０００８】
本発明は、自装置に対するユーザーの操作入力の受け付けをロックするロック部と、前記ユーザーのタッチ操作による操作入力を受け付けるためのタッチパネルと、前記ロック時に前記タッチパネルに対するタッチ操作の操作位置を検出する操作位置検出部と、前記検出されたタッチパネルに対する操作位置に基づき、前記タッチ操作がユーザーの耳介によって行われたか否かを判断する耳介判断部と、前記タッチ操作が耳介によって行われたと判断された場合に、前記耳介によるタッチ操作での操作入力を受け付ける耳介操作受付部とを備えることを電子機器の最も主な特徴とする。
【発明の効果】
【０００９】
本発明の電子機器によれば、自装置のロック時にユーザーが耳会によるタッチパネルへのタッチ操作を行うだけで、ロック解除操作等の操作入力を簡易に行うことができる。しかも、耳会によるタッチ操作に対して特別なスキャナー等を要さずにタッチパネルを利用して簡易に実現できる。
【図面の簡単な説明】
【００１０】
【図１】本発明の実施例１に係る電子機器の外観を示す正面図である。
【図２】図１のＩＩ−ＩＩ線矢視に係る断面電子機器図である。
【図３】図１の電子機器の電気的構成を示すブロック図である。
【図４】本発明の実施例１に係る電子機器でのロック解除処理の一例を示すフローチャートである。
【図５】本発明の実施例１に係る電子機器での着信応答処理の一例を示すフローチャートである。
【図６】本発明の実施例２に係る電子機器の電気的構成を示すブロック図である。
【図７】本発明の実施例２に係る電子機器でのロック解除処理の一例を示すフローチャートである。
【図８】本発明の実施例２に係る電子機器での着信応答処理の一例を示すフローチャートである。
【発明を実施するための形態】
【００１１】
電子機器のロック時に、ロック解除操作等の操作入力を簡易に行うという目的を、タッチパネルに対するタッチ操作の操作位置に基づいてユーザーの耳介によってタッチ操作が行われたか否かを判断し、タッチ操作が耳介によって行われたと判断された場合に耳介によるタッチ操作での操作入力を受け付ける電子機器により実現した。
【００１２】
本電子機器では、耳介によるタッチ操作での操作入力を受け付けるので、耳介を通じた認証を併用することも可能である。この場合、電子機器は、タッチパネルに対するユーザーの耳介によるタッチ操作での操作位置情報を耳介認証情報として事前に登録しておき、タッチ操作が耳介によって行われたと判断された場合の操作位置と登録されている耳介認証情報の操作位置情報とに基づいてユーザーを認証することができる。
【００１３】
電子機器は、携帯電話機の他、タブレット端末等のタッチパネルを有する情報処理端末等として構成することができる。
【００１４】
以下、本発明の実施例について図面を参照して説明する。
【実施例１】
【００１５】
［電子機器の構成］
図１は、本発明の実施例１に係る電子機器を示す正面図、図２は、図１の電子機器ＩＩ−ＩＩ線矢視に係る断面図である。
【００１６】
図１及び図２のように、電子機器１は、多機能携帯電話機、いわゆるスマートフォンであり、ケース１２にタッチパネル２が取り付けられて箱状に構成されている。
【００１７】
タッチパネル２は、電子機器１に対するタッチ操作による操作入力及び各種情報の表示を行わせるものである。タッチパネル２は、カバーパネル１１及びタッチパネル本体２２、表示パネル２３を有する。
【００１８】
カバーパネル１１は、透明のガラスやアクリル樹脂等で形成され、ケース１２の前面開口に取り付けられている。カバーパネル１１の外面１１０には、各種情報を表示すると共に操作入力を行わせるための操作表示部分１１ａが設けられている。操作表示部分１１ａを囲むカバーパネル１１の周縁部分１１ｂは、フィルム等が貼られることによって情報が表示されず操作入力もできない非操作表示部分となっている。
【００１９】
タッチパネル本体２２は、操作表示部分１１ａに対応して、カバーパネル１１の内面１１１に貼り付けられている。タッチパネル本体２２は、後述するようにカバーパネル１１の操作表示部分１１ａを指等でタッチ操作することによる操作入力を可能とする。
【００２０】
表示パネル２３は、電子機器１内でタッチパネル本体２２に対向して配置されている。表示パネル２３は、後述するように各種情報をカバーパネル１１の操作表示部分１１ａ上に表示可能とする。
【００２１】
本実施例のタッチパネル２には、振動可能な振動子としての圧電振動素子２５が取り付けられている。具体的には、カバーパネル１１の周縁部分１１ｂ（図１において上端側）の内面１１１に、例えば両面テープ等の接着剤２５ａによって圧電振動素子２５が貼り付けられている。
【００２２】
圧電振動素子２５は、後述するように、通話時にタッチパネル２のカバーパネル１１に振動を伝達することでカバーパネル１１をスピーカーとして機能させることを可能とする。
【００２３】
カバーパネル１１の周縁部分１１ｂ（図１において下端側）には、いわゆるハードキーである複数の操作キー２１が内部から貫通している。操作キー２１は、押下操作によって電子機器１に対する操作入力を可能とする。
【００２４】
電子機器１の前面のケース１２には（図１において下端側）、マイク穴２６ａが設けられている。
【００２５】
また、電子機器１には、内部に後述する制御部３０やマイク２６などの各種部品が搭載されるプリント基板２４が設けられている。
【００２６】
図３は、図１の電子機器の電気的構成を示すブロック図である。
【００２７】
図３のように、電子機器１は、操作キー２１、タッチパネル２（タッチパネル本体２２及び表示パネル２３）、圧電振動素子２５の他、マイク２６、無線通信部２０、記憶部２９、及び制御部３０等を電気的構成として内部に備えている。
【００２８】
操作キー２１は、複数設けられ、ユーザーにより押下されたときに対応する信号を制御部３０に対して入力する。
【００２９】
タッチパネル２のタッチパネル本体２２は、カバーパネル１１の操作表示部分１１ａを通じたユーザーのタッチ操作を検出する。タッチパネル本体２２は、感圧式や静電容量式等の種々の方式のものを採用することができ、タッチ操作は、タッチパネル本体２２の方式に応じた指の近接や指による加圧等とすることができる。
【００３０】
タッチパネル２の表示パネル２３は、例えば、液晶表示パネルや有機ＥＬパネルであり、文字、記号、図形などの各種情報を表示する。表示パネル２３上の情報は、カバーパネル１１の操作表示部分１１ａによって電子機器１のユーザーに視認可能に表示される。
【００３１】
圧電振動素子２５は、制御部３０からの駆動電圧により振動され、振動をタッチパネル２のカバーパネル１１に伝達させる。
【００３２】
マイク２６は、通話時の送話音声等、電子機器１の外部から入力される音を電気的な音信号に変換して制御部３０に出力する。電子機器１の外部からの音は、電子機器１のマイク穴２６ａから取り込まれてマイク２６に入力される。
【００３３】
無線通信部２０は、通話時等に、電子機器１と他の電子機器やインターネットに接続された通信装置との間の信号を基地局を介してアンテナ２０ａで送受信する。例えば、通話時には、無線通信部２０がアンテナ２０ａにより受信した受話信号を制御部３０に出力すると共に制御部３０からの送話信号をアンテナ２０ａから送信する。
【００３４】
記憶部２９は、各種のプログラムを記憶するＲＯＭ（Read Only Memory）、作業領域としてのＲＡＭ（Random Access Memory）、補助記憶装置としてのＨＤＤ（Hard Disk Drive）等を有する。
【００３５】
制御部３０は、記憶部２９内のプログラムを実行して電子機器１の各部を制御するＣＰＵ（Central Processing Unit）等の演算装置を有する。例えば、圧電振動素子２５とマイク２６とを制御することで通話機能を実現する。
【００３６】
加えて、本実施例の制御部３０は、記憶部２９内のプログラムを実行することで、電子機器１のロック時にロック解除操作や電話着信への応答操作等の操作入力を耳介によるタッチパネル２のタッチ操作により受け付ける機能を実現する。具体的には、制御部３０がロック部３０１、操作位置検出部３０２、耳介判断部３０３、耳介操作受付部３０４、ロック解除部３０７、通話可能化部３０８、振動制御部３０９として動作する。
【００３７】
ロック部３０１は、ロック機能を実現し、電子機器１に対するユーザーによる操作入力の受け付けをロックする。ロックは、電子機器１に対する操作入力が特定時間行われない場合や非ロック時の特定のロック操作がなされた場合に行われる。ロックされる操作入力としては、タッチパネル２でのタッチ操作や操作キー２１のキー操作等である。
【００３８】
操作位置検出部３０２は、操作位置検出機能を実現し、電子機器１のロック時に、タッチパネル２に対するタッチ操作の操作位置を検出する。本実施例では、タッチ操作の操作位置として、タッチパネル２のタッチパネル本体２２上の座標を検出する。
【００３９】
耳介判断部３０３は、耳介判断機能を実現し、操作位置検出部３０２により検出されたタッチパネル２に対する操作位置に基づき、タッチ操作がユーザーの耳介によって行われたか否かを判断する。
【００４０】
具体的には、タッチパネル２に対する操作位置が、耳介に対応するとみなすことができるか否かを判断する。このために、例えば、人間の耳介をタッチパネル２にタッチ操作した際に操作領域１１ａに接触することが想定される耳介の各要素（耳輪、対耳輪、耳垂、耳珠等）の位置関係等を示す判断基準情報が記憶部２９に記憶されている。耳介判断部３０３は、操作位置検出部３０２によって検出されたタッチ操作の座標の位置関係が判断基準情報に合致すれば、タッチ操作が耳介によって行われたと判断する。なお、人間の耳介をタッチパネル２にタッチ操作した際に操作領域１１ａに接触する耳介の各要素の位置関係には個人差がある。従って、判断基準情報は、耳介の各要素の基準となる位置関係に対する特定の許容差を含んでも良い。耳介判断部３０３は、操作位置検出部３０２によって検出されたタッチ操作の位置関係が判断基準情報に含まれる許容差の範囲内であれば、タッチ操作が耳介によって行われたと判断してもよい。
【００４１】
耳介操作受付部３０４は、耳介操作受付機能を実現し、タッチパネル２に対するタッチ操作が耳介によって行われたと判断された場合に、耳介によるタッチ操作での操作入力を受け付ける。
【００４２】
ロック解除部３０７は、ロック解除機能を実現し、耳介操作受付部３０４で受け付けられた操作入力に基づき電子機器１のロックを解除する。
【００４３】
通話可能化部３０８は、通話可能化機能を実現し、電話機能による電話着信に対し、耳介操作受付部３０４で受け付けられた操作入力に応じて通話可能とする。
【００４４】
具体的には、電話着信時の耳介によるタッチ操作に応じ、電話着信に応答して受話信号及び送話信号（通話信号）を無線通信部２０を介して送受信させる。
【００４５】
振動制御部３０９は、振動制御機能を実現し、通話時に圧電振動素子２５に対して受話信号に応じた駆動電圧を出力し、圧電振動素子２５からタッチパネル２に振動を伝達させることでタッチパネル２をスピーカーとして機能させる。
［ロック解除処理］
図４は、電子機器でのロック解除処理の一例を示すフローチャートである。
【００４６】
図４のロック解除処理では、電子機器１がロックされることで、ステップＳ１以降の処理が開始される。
【００４７】
ステップＳ１では、「タッチパネルに対するタッチ操作あり？」が行われる。すなわち、操作位置検出部３０２は、タッチパネル２上でのタッチ操作の有無を判断する。
【００４８】
タッチパネル２に対するタッチ操作がない場合は、ステップＳ１の処理を続行し（ＮＯ）、タッチパネル２に対するタッチ操作があった場合は、ステップＳ２に移行する（ＹＥＳ）。
【００４９】
ステップＳ２では、「操作位置の検出」が行われる。すなわち、操作位置検出部３０２は、ステップＳ１で行われたタッチ操作の操作位置（座標）を検出する。こうしてステップＳ２が完了して、ステップＳ３に移行する。
【００５０】
ステップＳ３では、「耳介によるタッチ操作？」が行われる。すなわち、耳介判断部３０３は、ステップＳ２で検出されたタッチパネル２上の操作位置と記憶部２９に記憶されている判断基準情報とに基づき、ステップＳ１でのタッチ操作がユーザーの耳介によるか否かを判断する。ここでのユーザーの耳介によるか否かの判断では、ユーザーを特定するものではなく、人間の耳介によるか否かが判断できればよい。
【００５１】
耳介によるタッチ操作ではない場合は、ロック解除処理を終了し（ＮＯ）、耳介によるタッチ操作である場合は、ステップＳ４に移行する（ＹＥＳ）。
【００５２】
ステップＳ４では、「ロックの解除」が行われる。すなわち、耳介操作受付部３０４は、耳介によるタッチ操作での操作入力を受け付け、ロック解除部３０７は、受け付けられた耳介によるタッチ操作に応じて電子機器１の操作入力の受け付けのロックを解除する。こうしてステップＳ４が完了することにより、図４のロック解除処理が終了する。
【００５３】
本実施例のロック解除処理では、ロック状態の電子機器１のタッチパネル２に対してユーザーが耳介を当てる又は近接させるタッチ操作だけで、電子機器１のロックを解除することができる。特に、耳介のタッチ操作は、電子機器（スマートフォン）１を片手で把持した状態で行うことができるので、ユーザーは、ロック解除操作のための操作入力を片手で簡易に行うことができる。
［着信応答処理］
図５は、電子機器での着信応答処理の一例を示すフローチャートである。なお、図５は、基本的に図４と共通するが、ステップＳ４に代えてステップＳ５を有する。
【００５４】
図５の着信応答処理は、電子機器１がロックされ且つ電話着信があることで開始される。処理の開始後は、図４と同様にステップＳ１〜Ｓ３までの処理が行われてステップＳ５へ移行する。
【００５５】
ステップＳ５では、「通話可能化」が行われる。すなわち、耳介操作受付部３０４は、耳介によるタッチ操作での操作入力を受け付け、通話可能化部３０８は、耳介操作受付部３０４で受け付けられた操作入力に応じて通話を可能とする。
【００５６】
こうしてステップＳ５が完了することにより、図５の着信応答処理が終了する。
【００５７】
本実施例の着信応答処理では、ロック解除処理と同様に、ロック状態の電子機器１のタッチパネル２に対してユーザーが耳介のタッチ操作を行うだけで、電話着信の応答のための操作入力を片手で簡易に行うことができる。
【００５８】
しかも、本実施例では、タッチパネル２が通話時のスピーカーとして機能するから、電話着信の応答のための操作入力を行うと、そのままの状態で通話を開始することができる。
［実施例１の効果］
本実施例の電子機器１は、自装置に対するユーザーの操作入力の受け付けをロックするロック部３０１と、ユーザーのタッチ操作による操作入力を受け付けるためのタッチパネル２と、ロック時にタッチパネル２に対するタッチ操作の操作位置を検出する操作位置検出部３０２と、検出されたタッチパネル２に対する操作位置に基づき、タッチ操作がユーザーの耳介によって行われたか否かを判断する耳介判断部３０３と、タッチ操作が耳介によって行われたと判断された場合に、耳介によるタッチ操作での操作入力を受け付ける耳介操作受付部３０４とを備える。
【００５９】
従って、本実施例では、電子機器１のロック時にユーザーが耳会によるタッチパネル２へのタッチ操作を行うだけで、ロック解除操作や電話着信の応答操作等の操作入力を簡易に行うことができる。特に、本実施例のスマートフォンである電子機器１においては、耳会によるタッチパネル２へのタッチ操作を片手で極めて簡易に行うことができる。
【００６０】
しかも、耳介のタッチ操作は、特別なスキャナー等を要さずにタッチパネルを利用して簡易に実現できる。
【００６１】
また、本実施例では、タッチパネル２に取り付けられて振動可能な圧電振動素子２５と、通話時に圧電振動素子２５の振動をタッチパネル２に伝達してタッチパネル２をスピーカーとして機能させる振動制御部３０９とを備える。
【００６２】
従って、本実施例では、タッチパネル２が通話時のスピーカーとして機能するから、電話着信の応答のための操作入力を行うと、そのままの状態で通話を開始することができる。このため、本実施例では、電話着信の応答のための操作入力から通話を開始までを同一の動作で極めて簡易に行うことができる。
【００６３】
また、本実施例では、耳介操作受付部３０４で受け付けられた操作入力に基づき電子機器１のロックを解除するロック解除部３０７を備えるので、耳介によるタッチパネル２のタッチ操作でロック解除を確実に行わせることができる。
【００６４】
また、本実施例では、通話機能による電話着信に対して、耳介操作受付部３０４で受け付けられた操作入力に応じて通話可能とする通話可能化部３０８を備える。
【００６５】
従って、本実施例では、耳介によるタッチパネル２のタッチ操作による電話着信の応答を確実に行わせることができる。
【実施例２】
【００６６】
［電子機器の構成］
図６は、本発明の実施例２に係る電子機器の電気的構成を示すブロック図である。なお、本実施例は、上記実施例１と基本構成が共通するため、対応する構成部分に同符号を付して重複した説明を省略する。
【００６７】
本実施例の電子機器１は、耳介による操作入力時にユーザー認証を要求するもので、制御部３０が認証情報登録部３０５及び耳介認証部３０６としても動作する。ユーザー認証を要求するか否かは、ロック設定等によって選択することが可能である。
【００６８】
認証情報登録部３０５は、認証情報登録機能を実現し、タッチパネル２に対するユーザーの耳介によるタッチ操作での操作位置情報を、ユーザーの耳介認証情報として事前に記憶部２９に登録する。
【００６９】
操作位置情報は、ユーザー本人の耳介を電子機器１のタッチパネル２にタッチした場合に、操作位置検出部３０２によって得られる耳介の各要素についての位置関係等を示す情報から構成されている。操作位置情報は、耳介の一部又は全部を示す情報とすることができる。また、操作位置情報は、ユーザー本人の耳介を電子機器１のタッチパネル２にタッチした場合に得られる耳介の各要素についての押圧力や押圧領域を含んでも良い。
【００７０】
耳介認証情報は、ユーザーの識別情報と、ユーザーの識別情報と関連付けられた操作位置情報から構成される。
【００７１】
耳介認証部３０６は、耳介認証機能を実現し、タッチパネル２に対するタッチ操作が耳介によって行われたと判断された場合の操作位置（および押圧力、押圧領域）と、認証情報登録部３０５によって登録されている耳介認証情報の操作位置情報とを照合し、耳介によるタッチ操作を行ったユーザーの認証を行う。ユーザー認証が行われた場合は、耳介によるタッチ操作の操作入力が耳介操作受付部３０４によって受け付けられる。
［ロック解除処理］
図７は、電子機器でのロック解除処理の一例を示すフローチャートである。なお、図７は、基本的に実施例１の図４と共通するが、ステップＳ３の後にステップＳ１１及びＳ１２を有する。
【００７２】
図７のロック解除処理は、電子機器１がロックされることで、ステップＳ１〜Ｓ３の処理が行われてステップＳ１１へ移行する。
【００７３】
ステップＳ１１では、「耳介による個人認証設定中？」が行われる。すなわち、耳介認証部３０６は、耳介による操作入力時にユーザー認証が要求される耳介認証設定が行われているか否かを判断する。
【００７４】
耳介認証設定がされていない場合は、ステップＳ４に移行して（ＮＯ）、実施例１と同様に電子機器１のロックが解除される。一方、耳介認証設定がされている場合は、ステップＳ１２に移行する（ＹＥＳ）。
【００７５】
ステップＳ１２では、「個人認証ＯＫ？」が行われる。すなわち、耳介認証部３０６は、耳介によるタッチ操作を行ったユーザーを認証する。具体的には、ステップＳ２で検出された耳介によるタッチ操作の操作位置と、記憶部２９に登録されている耳介認証情報の操作位置情報とに基づき、耳介によるタッチ操作を行ったユーザーが登録ユーザーであるか否かを判断する。
【００７６】
ユーザーが認証されなかった場合は、処理を終了し（ＮＯ）、ユーザーが認証された場合は、ステップＳ４に移行する（ＹＥＳ）。
【００７７】
ステップＳ４では、「ロックの解除」が行われる。すなわち、耳介操作受付部３０４は、ユーザーの認証に応じて耳介によるタッチ操作での操作入力を受け付け、ロック解除部３０７は、受け付けられた耳介によるタッチ操作に応じて電子機器１の操作入力の受け付けのロックを解除する。こうしてステップＳ４が完了することにより、図７のロック解除処理が終了する。
【００７８】
本実施例のロック解除処理では、ロック状態の電子機器１のタッチパネル２にユーザーが耳介を当てる又は近接させるタッチ操作だけで、ユーザー認証を通じた電子機器１のロック解除を片手で容易に行うことができる。
［着信応答処理］
図８は、電子機器での着信応答処理の一例を示すフローチャートである。なお、図８は、基本的に図７と共通するが、ステップＳ４に代えてステップＳ５を有する。
【００７９】
図８の着信応答処理は、電子機器１がロックされ且つ電話着信があることで開始される。処理の開始後は、図７と同様にステップＳ１〜Ｓ１２までの処理が行われてステップＳ５へ移行する。
【００８０】
ステップＳ５では、「通話可能化」が行われる。すなわち、耳介操作受付部３０４は、ユーザーの認証に応じて耳介によるタッチ操作での操作入力を受け付け、通話可能化部３０８は、耳介操作受付部３０４で受け付けられた操作入力に応じて通話を可能とする。
【００８１】
こうしてステップＳ５が完了することにより、図８の着信応答処理が終了する。
【００８２】
本実施例の着信応答処理では、ロック解除処理と同様に、ロック状態の電子機器１のタッチパネル２にユーザーが耳介のタッチ操作を行うだけで、ユーザー認証を通じた電話着信の応答のための操作入力を片手で簡易に行うことができる。
【００８３】
また、電話着信応答時にユーザー認証を要求する場合は、認証情報の入力に手間がかかると、着信中の電話が応答前に切れてしまうおそれがある。このため、通常は、電子機器をロックしていても、電話着信の応答のための操作入力についてユーザー認証を要求できない。
【００８４】
これに対し、本実施例では、認証情報の入力に手間がかからず、ユーザー認証を行っても電話が応答前に切れてしまうような不具合を防止できる。
［実施例２の効果］
本実施例の電子機器１は、実施例１と同様の作用効果を奏することができる。
【００８５】
加えて、本実施例では、タッチパネル２に対するユーザーの耳介によるタッチ操作での操作位置情報をユーザーの耳介認証情報として事前に登録する認証情報登録部３０５と、タッチ操作が耳介によって行われたと判断された場合の操作位置と登録されている耳介認証情報の操作位置情報とに基づき、耳介によるタッチ操作を行ったユーザーの認証を行う耳介認証部３０６とを有し、耳介操作受付部３０４が、上記ユーザーの認証が行われた場合に耳介によるタッチ操作での操作入力を受け付ける。
【００８６】
従って、本実施例では、ロックされた電子機器１のタッチパネル２に対する耳介のタッチ操作だけで、片手で短時間且つ簡易に認証情報を入力してユーザー認証を通じたロック解除操作や電話着信の応答操作等の操作入力を行うことができる。
【００８７】
また、本実施例では、認証情報の入力に手間がかからず、電話着信の応答操作の操作入力に対してもユーザー認証を要求してセキュリティーを向上することが可能となる。
【符号の説明】
【００８８】
１  電子機器
２９  記憶部
３０  制御部
３０１  ロック部
３０２  操作位置検出部
３０３  耳介判断部
３０４  耳介操作受付部
３０５  認証情報登録部
３０６  耳介認証部
３０７  ロック解除部
３０８  通話可能化部
３０９  振動制御部
【図１】
2015106716.tif 000003
【図２】
2015106716.tif 000004
【図３】
2015106716.tif 000005
【図４】
2015106716.tif 000006
【図５】
2015106716.tif 000007
【図６】
2015106716.tif 000008
【図７】
2015106716.tif 000009
【図８】
2015106716.tif 000010